(57)【特許請求の範囲】
【請求項１】
番組を受信して記録する記録手段と、
ネットワークを介してコメントを取得し保存する保存手段と、
前記記録手段で記録した番組の番組情報から番組キーワードを抽出する、または、前記記録手段で記録した番組の放送時間に対応するコメントから特徴キーワードを抽出し、前記記録手段で記録した番組に対応するコメントを、当該番組についての特徴キーワードまたは番組キーワードが含まれるものと、当該番組の前または後に放送された番組についての特徴キーワードまたは番組キーワードが含まれるものとに分類することにより、前記保存手段で保存したコメントが前記記録手段で記録したどの番組に対するものであるかを分類する分類手段と、
前記記録手段で記録した番組を再生する際に、前記分類手段で当該番組に対するものであると分類したコメントを、当該番組の映像とともに表示するように制御する表示制御手段とを具備する映像再生装置。
【請求項２】
前記分類手段は、前記番組についての特徴キーワードまたは番組キーワードが含まれるものと、当該番組の前または後に放送された番組についての特徴キーワードまたは番組キーワードが含まれるものと、それ以外のものとに分類することにより、前記保存手段で保存したコメントが前記記録手段で記録したどの番組に対するものであるかを分類する請求項１記載の映像再生装置。
【請求項３】
前記分類手段は、前記記録手段で記録した番組の番組情報から番組キーワードを抽出し、前記記録手段で記録した番組に対応するコメントを、当該番組についての番組キーワードが含まれるものと、当該番組の前または後に放送された番組についての番組キーワードが含まれるものとに分類することにより、前記保存手段で保存したコメントが前記記録手段で記録したどの番組に対するものであるかを分類する請求項１または２記載の映像再生装置。
【請求項４】
前記分類手段は、前記記録手段で記録した番組の放送時間に対応するコメントから特徴キーワードを抽出し、前記記録手段で記録した番組に対応するコメントを、当該番組についての特徴キーワードが含まれるものと、当該番組の前または後に放送された番組についての特徴キーワードが含まれるものとに分類することにより、前記保存手段で保存したコメントが前記記録手段で記録したどの番組に対するものであるかを分類する請求項１または２記載の映像再生装置。
【請求項５】
前記保存手段は、番組に関する時間情報と番組のチャンネル情報を基に設定された基準キーワードとに基づいてネットワーク経由でコメントを取得し、取得したコメントをその投稿日時に基づいて番組の放送時間単位で保存する請求項１乃至４いずれかに記載の映像再生装置。
【請求項６】
前記表示制御手段は、現在の番組の再生位置と当該番組の時間情報とに基づいて、所定の場面がリアルタイムで放送された時刻を特定し、その特定された時刻に応じてどのコメントを表示するかを決定する請求項１乃至４いずれかに記載の映像再生装置。
【請求項７】
前記表示制御手段は、表示するコメントの中に当該コメントを分類した特徴キーワードまたは番組キーワードが含まれる場合、その特徴キーワードまたは番組キーワードを他の文字と表示形態を変えて表示するように制御する請求項１乃至３いずれかに記載の映像再生装置。
【請求項８】
前記表示制御手段は、前記特徴キーワードまたは番組キーワードの色または大きさを、他の文字と変えて表示するように制御する請求項７記載の映像再生装置。
【請求項９】
記録手段により、番組を受信して記録し、
保存手段により、ネットワークを介してコメントを取得して保存し、
分類手段により、前記記録手段で記録した番組の番組情報から番組キーワードを抽出する、または、前記記録手段で記録した番組の放送時間に対応するコメントから特徴キーワードを抽出し、前記記録手段で記録した番組に対応するコメントを、当該番組についての特徴キーワードまたは番組キーワードが含まれるものと、当該番組の前または後に放送された番組についての特徴キーワードまたは番組キーワードが含まれるものとに分類することにより、前記保存手段で保存したコメントが前記記録手段で記録したどの番組に対するものであるかを分類し、
表示制御手段により、前記記録手段で記録した番組を再生する際に、前記分類手段で当該番組に対するものであると分類したコメントを、当該番組の映像とともに表示するように制御する映像再生方法。
【発明の詳細な説明】
【技術分野】
【０００１】
この発明の実施の形態は、例えばデジタルテレビジョン放送受信装置等のような映像再生装置及び映像再生方法に関する。
【背景技術】
【０００２】
周知のように、近年では、現行の放送サービスを起点とし、そこに例えばＩＰ（internet protocol）サービス等のネットワークを用いた通信サービスを活用することにより、放送と通信とを融合させた新しいサービスの提供を図るようにした、いわゆる、放送通信連携システムの開発が盛んに行なわれている。
【０００３】
この放送通信連携システムによれば、対応するデジタルテレビジョン放送受信装置を用いて、放送番組と放送やネットワーク経由で配信される関連情報とを同時に多画面表示することや、ネットワーク上のクラウドと連携することで、例えばツイッターのようなクラウドサービスの内容等も、放送番組と同時に多画面表示することが可能となる。
【０００４】
特に、現在では、ＳＮＳ（social networking service）のように、参加するユーザが自分のことを公開して相互に幅広いコミュニケーションを取り合うことを目的としたコミュニティ型Webサイトの普及により、ＳＮＳで通信されるコメントを放送番組と同時に多画面表示して視聴することが可能となっている。
【０００５】
ところで、このＳＮＳのような通信サービスでは、サービス側で放送チャンネルや放送番組等を識別する仕組みを持っていないことがあり、こういったサービスでは、サービスの利用者が自己のコメントに放送チャンネルや放送番組を示す特定の文字列を付与することにより、どのコメントがどの放送チャンネルや放送番組に対するものかを識別しているのが現状である。
【先行技術文献】
【特許文献】
【０００６】
【特許文献１】特開２０１１−１７６８７５号公報
【発明の概要】
【発明が解決しようとする課題】
【０００７】
放送番組及びコミュニティ型の通信サービスで通信されるコメントを記録して再生する際に、再生する番組に対応したコメントをユーザが効率的に見ることができるようにした映像再生装置及び映像再生方法を提供することを目的とする。
【課題を解決するための手段】
【０００８】
実施の形態によれば、映像再生装置は、記録手段と保存手段と分類手段と表示制御手段とを備える。記録手段は、番組を受信して記録する。保存手段は、ネットワークを介してコメントを取得し保存する。分類手段は、記録手段で記録した番組の番組情報から番組キーワードを抽出する、または、記録手段で記録した番組の放送時間に対応するコメントから特徴キーワードを抽出し、記録手段で記録した番組に対応するコメントを、当該番組についての特徴キーワードまたは番組キーワードが含まれるものと、当該番組の前または後に放送された番組についての特徴キーワードまたは番組キーワードが含まれるものとに分類することにより、保存手段で保存したコメントが記録手段で記録したどの番組に対するものであるかを分類する。表示制御手段は、記録手段で記録した番組を再生する際に、分類手段で当該番組に対するものであると分類したコメントを、当該番組の映像とともに表示するように制御する。
【図面の簡単な説明】
【０００９】
【図１】実施の形態におけるデジタルテレビジョン放送受信装置の信号処理系の一例を概略的に説明するために示すブロック構成図。
【図２】同実施の形態におけるデジタルテレビジョン放送受信装置が備える制御部の一例を説明するために示すブロック構成図。
【図３】同実施の形態におけるデジタルテレビジョン放送受信装置の制御部が行なう基準キーワードを選択する処理動作の一例を説明するために示す図。
【図４】同実施の形態におけるデジタルテレビジョン放送受信装置の制御部が行なう番組キーワードを抽出する処理動作の一例を説明するために示す図。
【図５】同実施の形態におけるデジタルテレビジョン放送受信装置の制御部が行なう特徴キーワードを抽出する処理動作の一例を説明するために示す図。
【図６】同実施の形態におけるデジタルテレビジョン放送受信装置の制御部が行なう主要な処理動作の一例を説明するために示すフローチャート。
【図７】同実施の形態におけるデジタルテレビジョン放送受信装置の制御部が行なうコメントを分類する処理動作の一例を説明するために示す図。
【図８】同実施の形態におけるデジタルテレビジョン放送受信装置で表示される表示画面の一例を説明するために示す図。
【発明を実施するための形態】
【００１０】
以下、実施の形態について図面を参照して詳細に説明する。図１は、この実施の形態で説明するデジタルテレビジョン放送受信装置１１の信号処理系を概略的に示している。このデジタルテレビジョン放送受信装置１１は、放送サービスとネットワーク回線網を用いた通信サービスとを融合させた放送通信連携システムに対応する機能を備えている。
【００１１】
すなわち、アンテナ１２で受信したデジタルテレビジョン放送信号は、入力端子１３を介してチューナ部１４に供給されることにより、所望のチャンネルの放送信号が選局される。このチューナ部１４で選局された放送信号は、復調復号部１５に供給されてデジタルの映像信号及び音声信号等に復元された後、信号処理部１６に出力される。
【００１２】
この信号処理部１６は、復調復号部１５から供給されたデジタルの映像信号及び音声信号に対してそれぞれ所定のデジタル信号処理を施している。そして、この信号処理部１６は、デジタルの映像信号を合成処理部１７に出力し、デジタルの音声信号を音声処理部１８に出力している。
【００１３】
このうち、合成処理部１７は、信号処理部１６から供給されるデジタルの映像信号に、ＯＳＤ（on screen display）信号を重畳して出力している。この合成処理部１６から出力されたデジタルの映像信号は、映像処理部１９に供給されて、後段の映像表示パネル２０で表示可能なフォーマットのアナログ映像信号に変換された後、上記映像表示パネル２０に供給されて映像表示に供される。
【００１４】
また、上記音声処理部１８は、入力されたデジタルの音声信号を、後段のスピーカ２１で再生可能なフォーマットのアナログ音声信号に変換している。そして、この音声処理部１８から出力されたアナログ音声信号が、上記スピーカ２１に供給されることにより音声再生に供される。
【００１５】
ここで、このデジタルテレビジョン放送受信装置１１は、上記した各種の受信動作を含む種々の動作を制御部２２によって統括的に制御されている。この制御部２２は、ＣＰＵ（central processing unit）２２ａを内蔵しており、デジタルテレビジョン放送受信装置１１の本体に設けられた操作部２３からの操作情報、または、リモートコントローラ２４から送信され受光部２５で受信された操作情報を受けることによって、その操作内容が反映されるように各部をそれぞれ制御している。
【００１６】
この場合、制御部２２は、メモリ部２２ｂを利用している。このメモリ部２２ｂは、主として、ＣＰＵ２２ａが実行する制御プログラムを格納したＲＯＭ（read only memory）と、該ＣＰＵ２２ａに作業エリアを提供するためのＲＡＭ（random access memory）と、各種の設定情報及び制御情報等が格納される不揮発性メモリとを有している。
【００１７】
また、この制御部２２には、ＨＤＤ（hard disk drive）２６が接続されている。この制御部２２は、ユーザによる操作部２３やリモートコントローラ２４の操作に基づいて、上記復調復号部１５から得られるデジタルの映像信号及び音声信号を、記録再生処理部２７によって暗号化し所定の記録フォーマットに変換した後、ＨＤＤ２６に供給してハードディスク２６ａに記録させるように制御することができる。
【００１８】
さらに、この制御部２２は、ユーザによる操作部２３やリモートコントローラ２４の操作に基づいて、ＨＤＤ２６によりハードディスク２６ａからデジタルの映像信号及び音声信号を読み出させ、上記記録再生処理部２７によって復号化した後、信号処理部１６に供給することによって、以後、上記した映像表示及び音声再生に供させるように制御することができる。
【００１９】
また、上記記録再生処理部２７には、入力端子２８が接続されている。この入力端子２８は、デジタルテレビジョン放送受信装置１１の外部からデジタルの映像信号及び音声信号を直接入力するためのものである。この入力端子２８を介して入力されたデジタルの映像信号及び音声信号は、制御部２２の制御に基づいて、記録再生処理部２７を介した後、信号処理部１６に供給されて、以後、上記した映像表示及び音声再生に供される。
【００２０】
さらに、この入力端子２８を介して入力されたデジタルの映像信号及び音声信号は、制御部２２の制御に基づいて、記録再生処理部２７を介した後、ＨＤＤ２６によるハードディスク２６ａに対しての記録再生に供される。
【００２１】
また、上記制御部２２には、ネットワークインターフェース２９が接続されている。このネットワークインターフェース２９は、外部のネットワーク回線網３０に接続されている。そして、このネットワーク回線網３０には、当該ネットワーク回線網３０を介した通信機能を利用して各種のサービスを提供するためのネットワークサーバ３１が接続されている。
【００２２】
このため、制御部２２は、ユーザによる操作部２３やリモートコントローラ２４の操作に基づき、ネットワークインターフェース２９及びネットワーク回線網３０を介して、ネットワークサーバ３１にアクセスして情報通信を行なうことにより、そこで提供しているサービス（例えばＳＮＳ）を利用することができるようになっている。
【００２３】
図２は、上記制御部２２が、デジタルテレビジョン放送受信装置１１に対して、以下に述べる特徴的な処理動作を行なわせるために備える各種機能の一例を示している。すなわち、この制御部２２は、記録管理部３２、番組情報管理部３３、字幕情報管理部３４、再生管理部３５、基準キーワード選択部３６、番組キーワード抽出部３７、コメント取得部３８、コメント保存部３９、特徴キーワード抽出部４０、コメント分類部４１、コメント表示部４２及び設定保存部４３を備えている。
【００２４】
このうち、記録管理部３２は、受信したデジタルテレビジョン放送信号から、予め設定された放送チャンネルの番組及びその関連情報を、予め設定された時間の範囲内でＨＤＤ２６に記録する記録動作を管理する。番組情報管理部３３は、記録管理部３２の管理に基づいてＨＤＤ２６に記録された番組の関連情報からＥＰＧ（electronic program guide）のような番組情報を取得し、それらの情報を番組単位で保存管理する。
【００２５】
字幕情報管理部３４は、記録管理部３２の管理に基づいてＨＤＤ２６に記録された番組に字幕情報が存在する場合に、その字幕情報を取得して番組単位で保存管理する。再生管理部３５は、ユーザによる操作部２３やリモートコントローラ２４の操作に基づいて、予めＨＤＤ２６に記録された番組の再生動作や、再生中の番組の再生位置情報の管理等を実行している。
【００２６】
基準キーワード選択部３６は、現在再生されている番組のチャンネル情報に基づいて、外部のネットワークサーバ３１から例えばＳＮＳのコメントを取得する際に利用するための基準キーワードを選択する。番組キーワード抽出部３７は、ある番組に対して番組情報管理部３３と字幕情報管理部３４とからその番組の番組情報と字幕情報とを取得し、その中からその番組に出現する特徴的なキーワードを抽出する。
【００２７】
コメント取得部３８は、番組の放送開始時刻や放送終了時刻等の時刻情報と、前記基準キーワード選択部３６が番組のチャンネル情報に基づいて選択した基準キーワードとに応じて、外部のネットワークサーバ３１から例えばＳＮＳのコメントを取得する。コメント保存部３９は、コメント取得部３８で取得したコメントを、コメントの投稿時間を基に番組の放送時間単位で保存する。
【００２８】
特徴キーワード抽出部４０は、コメント保存部３９に保存されているコメントを番組単位で解析し、前後の番組のコメントと比較することで、コメントの中から特徴的なキーワードを抽出する。コメント分類部４１は、番組キーワード抽出部３７と特徴キーワード抽出部４０とが個々の番組に対して抽出したキーワードに基づいて、コメントが現在再生中の番組に対するものか、その前後の番組に対するものか、それともどの番組にも属さないコメントか等々、番組の関係に応じて分類する。
【００２９】
コメント表示部４２は、コメント分類部４１で分類されたコメントに基づいて、現在の番組の再生状況に応じてユーザに表示するコメントの選択や、コメントを表示する際にコメント内の特定のキーワードの色やサイズを変更するといった処理を実行する。設定保存部４３は、どの分類のコメントをどのように表示するかを示すための各種設定情報を保存している。
【００３０】
図３は、番組のチャンネル情報に基づいて、外部のネットワークサーバ３１から例えばＳＮＳのコメントを取得する際の検索キーとなる基準キーワードを選択するルールの一例を示している。図３に示す例では、放送局を一意に識別するために予め決定されているサービスＩＤとネットワークＩＤという２つの識別情報から放送局を特定しており、両ＩＤの組に対して基準キーワードが決まるようになっている。
【００３１】
例えば、現在視聴中の番組のサービスＩＤが「１２３４５」で、ネットワークＩＤが「３２１１２」の場合、その放送局はＱＢＳと判断し、基準キーワードは「#QBS」となる。なお、この例ではサービスＩＤとネットワークＩＤとから基準キーワードを選択しているが、それ以外の情報、例えば放送事業者名等から選択してもよいものである。
【００３２】
また、基準キーワードを予め選択するためのルールが設定できないサービスの場合は、後述する番組キーワードを基準キーワードに代えて使用しても良いものである。さらに、図３に示す例では、１つの放送局に対して１つの基準キーワードを選択しているが、１つの放送局に対して複数の基準キーワードを選択し、それらの和（or）や積（and）を検索キーとすることも可能である。また、複数の放送局が１つの同じ基準キーワードを持つようにしてもよいものである。さらに、それぞれの外部サービスにあわせて別の基準キーワードを選択できるようにしてもよいものである。
【００３３】
図４は、その符号（ａ）に示す番組情報から、符号（ｂ）に示す番組キーワードを抽出する一例を示している。基本的に番組情報は文章で送られてくるため、その中から人名や地名といった固有名詞等を抽出する。この場合の固有名詞の抽出には、一般的な形態素解析等の技術が用いられる。
【００３４】
すなわち、例えば特開２００９−１５９４７５号公報等に記載されているように、形態素解析器を用いてキーワードの候補となり得る名詞及び名詞句を切り出し、切り出した名詞及び名詞句に対して予め設定された辞書を用いてキーワードとして適正な単語か否かを判断する手法や、予め定められたルールにしたがって人名等を切り出す手法を用いて行なわれる。
【００３５】
図４（ａ），（ｂ）に示す例では、タイトルや番組内容の欄から、人名として「ホワイトソース」、「ラッキー」、「ちまーず」、「○×△□」（姓が○×、名が△□）、「平平平平」（姓が平平、名が平平）を抽出し、地名として「ヒマラヤ」を抽出し、これらをこの番組の番組キーワードとしている。
【００３６】
なお、上記の例では番組情報から番組キーワードを抽出することについて説明しているが、字幕情報についても同様に番組キーワードを抽出することができる。すなわち、字幕から抽出した文字情報に対して、形態素解析等の処理を行なうことによって、番組キーワードを抽出することが可能となる。
【００３７】
図５は、上記コメント取得部３８が外部のネットワークサーバ３１から取得し、番組の放送時間単位でコメント保存部３９に保存されたＳＮＳのコメント［符号（ａ）に示す］から、その番組に対する特徴キーワード［符号（ｂ）に示す］を抽出する一例を示している。
【００３８】
コメントに対しても番組情報や字幕情報と同様に形態素解析等の技術を用いて特徴キーワードを抽出するが、この場合、サービスによっては特定の記号を用いてコメント内の文字をキーワードとして識別することが可能となっているため、これらのルールをサービス毎に予め設定しておき、利用することも可能である。
【００３９】
図５（ａ），（ｂ）に示す例では、「#」という記号がキーワードを表わすために用いられていることから、「#」で始まる言葉については、特に形態素解析等の処理を行なうことなく特徴キーワードと認識することができる。図５の例では「#QBS」、「#whiteshow」、「#news777」、「#TVKANTO」、「#TOSHITV」、「#MUKASHITV」、「#ciaosports」が、この条件に当てはまるキーワードとなる。
【００４０】
このように抽出されたキーワードに対して出現回数等から閾値処理を行ない、一定回数以上出現しているキーワードを、この番組のコメントに対する特徴キーワードとする。なお、閾値については番組の長さにより出現回数の絶対数が変わってくるため、番組放送時間を引数とした評価関数で決定することが可能である。
【００４１】
また、出現回数ではなく、番組の放送時間内にコメントされたコメントのうち、該当キーワードが含まれる割合が一定値以上といった基準で特徴キーワードを決定することも可能である。なお、この例では「#news777」等のように出現回数が少ないものは、特徴キーワードとはならない。さらに、詳細は後述するが、その番組から抽出したキーワードだけでなく、その前後の番組から抽出されたキーワードとの関係から特徴キーワードを決定することも可能である。
【００４２】
図６は、上記制御部２２のコメント分類部４１が、番組キーワード及び特徴キーワードに基づいて、コメントがどの番組に対するものか、または、いずれの番組にも属さないものかを分類する処理動作の一例をまとめたフローチャートを示している。
【００４３】
すなわち、処理が開始（ステップＳ１）されると、コメント分類部４１は、ステップＳ２で、ある番組の放送時間内に投稿されたコメントの集合に対して、その中に未処理のコメントが存在するか否かを判別し、存在しないと判断された場合（ＮＯ）、処理を終了（ステップＳ３）する。
【００４４】
また、上記ステップＳ２で未処理のコメントが存在すると判断された場合（ＹＥＳ）、コメント分類部４１は、ステップＳ４で、未処理のコメントのうちの１つを取得し、ステップＳ５で、取得したコメントの中に、当該番組の特徴キーワードが含まれているか否かを判別する。
【００４５】
そして、特徴キーワードが含まれていると判断された場合（ＹＥＳ）、コメント分類部４１は、ステップＳ６で、そのコメントが当該番組の内容について投稿されたコメントであると分類し、ステップＳ２の処理に移行する。
【００４６】
また、上記ステップＳ５でコメントの中に当該番組の特徴キーワードが含まれていないと判断された場合（ＮＯ）、コメント分類部４１は、ステップＳ７で、そのコメントの中に、当該番組の番組キーワードが含まれているか否かを判別する。
【００４７】
ここで、番組キーワードが含まれていると判断された場合（ＹＥＳ）、コメント分類部４１は、上記ステップＳ６で、そのコメントが当該番組の内容について投稿されたコメントであると分類し、ステップＳ２の処理に移行する。
【００４８】
また、上記ステップＳ７でコメントの中に当該番組の番組キーワードが含まれていないと判断された場合（ＮＯ）、つまり、コメントの中に当該番組の特徴キーワード及び番組キーワードが共に含まれていない場合、コメント分類部４１は、ステップＳ８で、そのコメントの中に、当該番組の前後に放送された番組の特徴キーワードが含まれているか否かを判別する。
【００４９】
そして、前後の番組の特徴キーワードが含まれていると判断された場合（ＹＥＳ）、コメント分類部４１は、ステップＳ９で、そのコメントが前後の番組の内容について投稿されたコメントであると分類し、ステップＳ２の処理に移行する。
【００５０】
また、上記ステップＳ８でコメントの中に前後の番組の特徴キーワードが存在しないと判断された場合（ＮＯ）、コメント分類部４１は、ステップＳ１０で、そのコメントの中に、前後の番組の番組キーワードが含まれているかを判別する。
【００５１】
ここで、番組キーワードが含まれていると判断された場合（ＹＥＳ）、コメント分類部４１は、上記ステップＳ９で、そのコメントが前後の番組の内容について投稿されたコメントであると分類し、ステップＳ２の処理に移行する。
【００５２】
また、上記ステップＳ１０でコメントの中に前後の番組の番組キーワードが含まれていないと判断された場合（ＮＯ）、つまり、コメントの中に、当該番組の特徴キーワード、番組キーワード、前後の番組の特徴キーワード、番組キーワードのいずれも含まれていない場合、コメント分類部４１は、ステップＳ１１で、そのコメントをその他のコメントに分類し、ステップＳ２の処理に移行する。
【００５３】
以上の処理動作を当該番組の放送時間内に投稿された全てのコメントに対して行なうことにより、コメントを当該番組のコメントと前後番組のコメントとその他のコメントとに分類することができる。
【００５４】
なお、コメントの中に特徴キーワードが含まれているか否かを判別する場合には、基準キーワードは特徴キーワードから除外する。なぜならば、取得したコメントは基本的に基準キーワードを含むものを取得しているため、全てのコメントに基準キーワードが含まれるため、判断基準としては不適格になるからである。
【００５５】
図７は、ある番組（ホワイトソースの世界笑撃スペシャル）について、上記コメント保存部３９に保存されたコメントから抽出した特徴キーワードと、その番組の前後の番組（ニュース７７７及び世界農場めぐり〜アメリカ バイオマスエネルギーととうもろこし畑〜）について、上記コメント保存部３９に保存されたコメントからそれぞれ抽出した特徴キーワードとの一例を示している。
【００５６】
この実施の形態では、基準キーワードを検索キーとしてコメントを取得するため、基本的に全ての番組のコメントについて基準キーワードが特徴キーワードの出現回数の先頭となる。すなわち、図７に示す例では、全ての番組で「#QBS」が最も多く出現する特徴キーワードとなっているが、前述したように基準キーワードについては特徴キーワードとして利用しないこととしてもよい。
【００５７】
また、ある番組について、コメント保存部３９に保存されたコメントから特徴キーワードを抽出する際には、その番組について抽出された特徴キーワードと、その番組の前後の番組について抽出された特徴キーワードとを比較することによって、当該番組についての特徴キーワードを決定することが可能となる。
【００５８】
図７に示す例で言えば、「ホワイトソースの世界笑撃スペシャル」では、その放送時間内に「#neww777」という特徴キーワードが出現しているが、この特徴キーワードは、その前の番組である「ニュース７７７」で出現頻度の高い特徴キーワードとなっている。このことから、前番組で出現頻度が高く、その後の番組でも特に番組前半に出現するような特徴キーワードに関しては、当該番組の特徴キーワードではないと判断することができ、その特徴キーワードが含まれるコメントも、あくまで前番組のコメントが入力等の時間差によって当該番組のコメントとして投稿されたものであると判別することができる。
【００５９】
このように、当該番組について抽出された特徴キーワードが、その前後の番組についての特徴キーワードであることを判別することにより、その特徴キーワードを含むコメントがどの番組に対するものであるかを効率的に識別し分類することが可能となる。
【００６０】
ここで、図５（ａ）に示した各種のコメントを例に、どのコメントがどの番組に対するものであるかを分類する処理動作の具体例について説明する。まず、先頭のコメント「お、ホワショー始まった。 #QBS #whiteshow」については、特徴キーワード「#whiteshow」が含まれているため、「ホワイトソースの世界笑撃スペシャル」に対するコメントであると識別することができる。
【００６１】
また、次のコメント「今日はラッキーがゲストなのね #QBS #whiteshow」についても同様に、特徴キーワードである「#whiteshow」が含まれるため、「ホワイトソースの世界笑撃スペシャル」のコメントであると識別することができる。
【００６２】
次のコメント「災害復興ってなかなか進まないよね… #QBS #news777」については、「#news777」というキーワードが「ホワイトソースの世界笑撃スペシャル」についての特徴キーワードとなっていないため、当該番組に関するコメントとは判断することができず、また、このコメントには、図４（ｂ）に示した番組キーワードも含まれていないため、当該番組に対するコメントとは識別しない。
【００６３】
この場合には、同じコメント「災害復興ってなかなか進まないよね… #QBS #news777」を、「ホワイトソースの世界笑撃スペシャル」の前後の番組の特徴キーワードと比較する。すると、前の番組である「ニュース７７７」についての特徴キーワードの中に「#news777」が含まれているため、このコメントは前後番組に対するコメントであると分類される。
【００６４】
次のコメント「平平さん、今日もハジケテルナ〜 #QBS」については、「ホワイトソースの世界笑撃スペシャル」についての特徴キーワードは含まれていないが、番組キーワードである「平平」が含まれているため、このコメントも当該番組に対するコメントであると識別することができる。
【００６５】
次のコメント「普通ヒマラヤには行かないだろ #QBS #whiteshow」についても、上記と同様に「#whiteshow」が含まれるため、「ホワイトソースの世界笑撃スペシャル」に対するコメントに分類する。
【００６６】
次のコメント「［拡散希望］18日に渋谷でライブやります！詳細はhttp://******** #QBS #TVKANTO #TOSHITV #MUKASHITV」については、様々なキーワードが出現しているが、いずれも「ホワイトソースの世界笑撃スペシャル」及びその前後の番組についての特徴キーワードにも番組キーワードにもあてはまるものがないため、その他のコメントに分類される。
【００６７】
上記のような分類処理を「ホワイトソースの世界笑撃スペシャル」の放送時間内にコメント保存部３９に保存された全てのコメントに対して行なうことにより、当該番組に対するコメントが識別されるようになる。
【００６８】
図８は、上記のようにして分類したコメントを、ＨＤＤ２６に記録された番組とともに上記映像表示パネル２０に映像表示した一例を示している。すなわち、映像表示パネル２０の画面は、ＨＤＤ２６で再生された番組（この場合、ホワイトソースの世界笑撃スペシャル）の映像が表示される領域４４と、コメントを表示する領域４５とに分割される。そして、コメントを表示する領域４５には、複数（図示の場合は５つ）のコメント４５ａ〜４５ｅが表示されている。なお、コメントについては、リモートコントローラ２４を操作して上下方向にスクロールさせることができる。
【００６９】
この場合、先に述べたように、コメント保存部３９に保存されたコメントについては、当該番組に対するコメントと、その前後の番組に対するコメントと、その他のコメントとに分類がなされているため、その分類に応じて表示を変えることが可能である。
【００７０】
図８に示す例では、当該番組（ホワイトソースの世界笑撃スペシャル）に対するコメント４５ａ，４５ｂ，４５ｄ，４５ｅについては緑の枠で表示し、その前後の番組に対するコメント４５ｃについては青の枠で表示している。また、表示はされていないが、その他のコメントについては表示しないということも可能である。
【００７１】
さらに、当該番組（ホワイトソースの世界笑撃スペシャル）に対する各コメント４５ａ，４５ｂ，４５ｄ，４５ｅについても、１つ目のコメント４５ａについては「ホワショー」という特徴キーワードが存在するため、この特徴キーワード部分についてフォントサイズを大きくし、ユーザに対して目立つように表示している。
【００７２】
なお、特徴キーワードとして、予めサービス側のルールに従った形のキーワードについては、例えば「#whiteshow」というように下線をつけることで、他のキーワードと識別できるようにすることも可能である。
【００７３】
また、２つ目のコメント４５ｂや４つ目のコメント４５ｄのように、当該番組（ホワイトソースの世界笑撃スペシャル）に対する番組キーワードを含むコメントについては、その番組キーワードを他の文字と色を変えて表示する等の処理を行なうことにより、ユーザが容易に識別することができるようになる。
【００７４】
このように、コメント中に出現する特徴キーワードや番組キーワードについては、ユーザが見た目で識別し易いように表示形態を変更する処理を行なうと便利である。また、これらの表示や文字の装飾等については、ユーザが予め設定を行なって、どの分類のコメントを表示／非表示とするか、または、キーワードの強調表示のフォントサイズや色はどうするか等の情報を保持しておくと便利である。さらに、コメントや番組情報から抽出した特徴キーワードや番組キーワードではなく、ユーザが予め登録したキーワードについても強調表示等を行なうすることができる。
【００７５】
上記した実施の形態によれば、放送番組とそれに関してＳＮＳ等の外部サービスで通信されるコメントとを記録して再生する際に、記録された多数のコメントの中から、再生する番組に対するコメントを検索するためのキーワードを設定し、そのキーワードに基づいて検索したコメントを番組の映像とともに表示するようにしたので、再生する番組に対応したコメントをユーザが効率的に見ることができるようになる。
【００７６】
なお、基準キーワード、番組キーワード及び特徴キーワード等の設定や、これらの各種キーワードからコメントを番組毎に分類する処理等は、例えば放送番組やコメントの記録動作が終了する毎に自動的に行なわれるようにしておけば、番組をコメントとともに再生することが要求されたときに直ちに表示に供することができ便利である。
【００７７】
また、上記した実施の形態では、基準キーワードを選択するにあたって、上記基準キーワード選択部３６が予め定められたルールに従って基準キーワードを決定するようにしているが、これに限らず、例えば番組情報を外部のサーバに送ると、サーバ側でその番組を判別して基準キーワードを決定し、返信するような仕組みも考えられる。
【００７８】
さらに、番組キーワードや特徴キーワードについても、番組キーワード抽出部３７や特徴キーワード抽出部４０等で抽出するのではなく、外部のサーバで一括して抽出処理を行ない、その結果を受け取るような構成も考えられる。
【００７９】
また、上記した実施の形態では、コメントをデジタルテレビジョン放送受信装置１１の映像表示パネル２０に表示するようにしているが、これに限らず、携帯電話、スマートフォン、タブレット、ＰＣ（personal computer）等、外部の機器で表示する構成も考えられる。この場合には、それらの機器と通信をする仕組みが別途必要となる。
【００８０】
さらに、再生装置側は番組に関係する情報だけを出力し、それ以外のキーワードの抽出処理やコメントの分類処理等については、全て外部の機器（サーバ、スマートフォン、タブレット、ＰＣ等）で行なう構成も考えられる。
【００８１】
また、上記コメント表示部４２は、上記再生管理部３５から現在の番組の再生位置を受け取り、番組情報管理部３３が保持する番組の時間情報と併せてその場面がリアルタイムで放送された時刻を特定し、その特定された時刻に応じてどのコメントをユーザに対して表示するかを決定することも可能である。
【００８２】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００８３】
１１…デジタルテレビジョン放送受信装置、１２…アンテナ、１３…入力端子、１４…チューナ部、１５…復調復号部、１６…信号処理部、１７…合成処理部、１８…音声処理部、１９…映像処理部、２０…映像表示パネル、２１…スピーカ、２２…制御部、２２ａ…ＣＰＵ、２２ｂ…メモリ部、２３…操作部、２４…リモートコントローラ、２５…受光部、２６…ＨＤＤ、２６ａ…ハードディスク、２７…記録再生処理部、２８…入力端子、２９…ネットワークインターフェース、３０…ネットワーク回線網、３１…ネットワークサーバ、３２…記録管理部、３３…番組情報管理部、３４…字幕情報管理部、３５…再生管理部、３６…基準キーワード選択部、３７…番組キーワード抽出部、３８…コメント取得部、３９…コメント保存部、４０…特徴キーワード抽出部、４１…コメント分類部、４２…コメント表示部、４３…設定保存部、４４，４５…領域、４５ａ〜４５ｅ…コメント。
【図１】
0005492314.tif 000002
【図２】
0005492314.tif 000003
【図３】
0005492314.tif 000004
【図４】
0005492314.tif 000005
【図５】
0005492314.tif 000006
【図６】
0005492314.tif 000007
【図７】
0005492314.tif 000008
【図８】
0005492314.tif 000009